(57)【要約】【課題】現場での組み立てが容易であり、特殊な基礎工事等を必要としない螺旋階段を提供すること等を課題とする。【解決手段】  組み立て式螺旋階段であって、中空パイプ状の支柱と、当該支柱を装着する装着部および螺旋階段の第1段目のステップを固定するためのブラケットを設けたベースプレートと、前記第1段目のステップの次段以降において前記支柱を中心として順次螺旋状に配置される複数の中間ステップを有し、前記第1段目のステップは、前記ベースプレートに取り付けられたブラケットおよび第２段目を構成する中間ステップに取り付けられた連結ブラケットの双方と結合する連結ブラケットを有し、前記中間ステップが有する連結ブラケットは、上方および下方の双方において隣接する他の中間ステップが有する連結ブラケットと結合するようになっていること。【選択図】図１
0003154247.tif 000002
【実用新案登録請求の範囲】
【請求項１】
中空パイプ状の支柱と、
当該支柱を装着する装着部および螺旋階段の第1段目のステップを固定するためのブラケットを設けたベースプレートと、
前記第1段目のステップの次段以降において前記支柱を中心として順次螺旋状に配置される複数の中間ステップを有し、
前記第1段目のステップは、前記ベースプレートに取り付けられたブラケットおよび第２段目を構成する中間ステップに取り付けられた連結ブラケットの双方と結合する連結ブラケットを有し、
前記中間ステップが有する連結ブラケットは、上方および下方の双方において隣接する他の中間ステップが有する連結ブラケットと結合するようになっていること特徴とする組み立て式螺旋階段。
【請求項２】
前記ベースプレートのブラケットと第1段目のステップおよび中間ステップに設けた連結ブラケットは、ほぼ前記支柱を中心とした同心円上の配置となるように設けられていることを特徴とする請求項１記載の組み立て式螺旋階段。
【請求項３】
前記ベースプレートのブラケットおよび各ステップの連結ブラケットは、前記支柱近傍および外周近傍となる間隔を隔てた２カ所にそれぞれ設けられていることを特徴とする請求項１または請求項２記載の組み立て式螺旋階段。
【請求項４】
前記連結ブラケットはクランク形状を成しており、それぞれ中間ステップ上面の踏板部の裏面に配置されるとともに、踏板部の後方部から上方に突出する上方板部を有していることを特徴とする請求項１乃至請求項３の何れか一項記載の組み立て式螺旋階段。
【請求項５】
前記下方板部と上方板部には、それぞれ締結用の穴が上下方向に沿って複数個設けられており、下方板部あるいは上方板部の何れか一方の締結用の穴が長穴に形成されていることを特徴とする請求項１乃至請求項４の何れか一項記載の組み立て式螺旋階段。
【請求項６】
前記中間ステップには、前記支柱の外周面に対して引っかけるように係合させることができるフック部材が設けられていることを特徴とする請求項１乃至請求項５の何れか一項記載の組み立て式螺旋階段。
【請求項７】
最上部には、略四角形状の踏板部を設けた踊り場ステップが設けられていることを特徴とする請求項１乃至請求項６の何れか一項記載の組み立て式螺旋階段。
【考案の詳細な説明】
【技術分野】
【０００１】
本考案は、組み立て式螺旋階段に関するものである。
【背景技術】
【０００２】
従来より、特許文献１に記載されているような各種の組み立て式螺旋階段が知られている。これらの螺旋階段は、中央に支柱を設けて、その支柱の外周に複数のステップを取り付けることにより形成したものである。特許文献１記載の螺旋階段を含め従来の組み立て式螺旋階段は、ステップの自重およびステップに作用する垂直荷重をほぼ支柱によって支える構造であるため、強度の高い支柱が必要となっていた。そのため、太く重い支柱を用いる必要があり、螺旋階段取り付け用の基礎工事などを要する場合がほとんどであった。また、ステップを取り付けるには、支柱表面にステップ取り付け用の金具類若しくは取り付け用の加工が必要であり面倒な加工を要するものであった。
【先行技術文献】
【特許文献】
【０００３】
【特許文献１】特開２０００−１２０２４６号公報
【考案の概要】
【考案が解決しようとする課題】
【０００４】
本考案は、上記課題に鑑み考案されたものであって、現場での組み立てが容易であり、特殊な基礎工事等を必要としない螺旋階段を提供することを課題とする。また、現場の状況に合わせて高さの微調節が可能であり、設置現場の床強度が足りない場合にはベースプレートの交換といった軽微な改良により設置を可能とする螺旋階段を提供することを課題とする。
【課題を解決するための手段】
【０００５】
上記課題を解決するために、請求項１記載の考案は以下の構成を有する。すなわち、
中空パイプ状の支柱と、
当該支柱を装着する装着部および螺旋階段の第1段目のステップを固定するためのブラケットを設けたベースプレートと、
前記第1段目のステップの次段以降において前記支柱を中心として順次螺旋状に配置される複数の中間ステップを有し、
前記第1段目のステップは、前記ベースプレートに取り付けられたブラケットおよび第２段目を構成する中間ステップに取り付けられた連結ブラケットの双方と結合する連結ブラケットを有し、
前記中間ステップが有する連結ブラケットは、上方および下方の双方において隣接する他の中間ステップが有する連結ブラケットと結合するようになっていること特徴とする組み立て式螺旋階段。
【０００６】
また、請求項２記載の考案は以下の構成を有する。すなわち、
前記ベースプレートのブラケットと第1段目のステップおよび中間ステップに設けた連結ブラケットは、ほぼ前記支柱を中心とした同心円上の配置となるように設けられていることを特徴とする請求項１記載の組み立て式螺旋階段。
【０００７】
また、請求項３記載の考案は以下の構成を有する。すなわち、
前記ベースプレートのブラケットおよび各ステップの連結ブラケットは、前記支柱近傍および外周近傍となる間隔を隔てた２カ所にそれぞれ設けられていることを特徴とする請求項１または請求項２記載の組み立て式螺旋階段。
【０００８】
また、請求項４記載の考案は以下の構成を有する。すなわち、
前記連結ブラケットはクランク形状を成しており、中間ステップ上面の踏板部の裏面に配置され下方板部と踏板部の後方部から上方に突出する上方板部を有していることを特徴とする請求項１乃至請求項３の何れか一項記載の組み立て式螺旋階段。
【０００９】
また、請求項５記載の考案は以下の構成を有する。すなわち、
前記下方板部と上方板部には、それぞれ締結用の穴が上下方向に沿って複数個設けられており、下方板部あるいは上方板部の何れか一方の締結用の穴が長穴に形成されていることを特徴とする請求項１乃至請求項４の何れか一項記載の組み立て式螺旋階段。
【００１０】
また、請求項６記載の考案は以下の構成を有する。すなわち、
前記中間ステップには、前記支柱の外周面に対して引っかけるように係合させることができるフック部材が設けられていることを特徴とする請求項１乃至請求項５の何れか一項記載の組み立て式螺旋階段。
【００１１】
また、請求項７記載の考案は以下の構成を有する。すなわち、
最上部には、略四角形状の踏板部を設けた踊り場ステップが設けられていることを特徴とする請求項１乃至請求項６の何れか一項記載の組み立て式螺旋階段。
【考案の効果】
【００１２】
本願考案に係る組み立て式螺旋階段は、昇降のためのステップを支柱に対して片持ちさせる構造ではなく、ほぼ全ての荷重をブラケットを介して連結させたステップによって支持している。そして、支柱の自重およびステップの累積的な自重および人間の昇降時の荷重を最下部に設けた所定面積のベースプレートによって支持するようになっている。したがって、螺旋階段の重量および荷重を面積の広いプレートによって受けるようになっているので、従来の螺旋階段のように荷重が集中する支柱を強固に支える基礎工事等を必要とせず、設置場所による制限をあまり受けずに設置することができるという効果を有している。
また、支柱は各ステップの配置を螺旋状に保つことを主な目的とするものであるので、ステップを介して極端に大きな荷重が作用することは無い。したがって、従来のように主として支柱によって荷重を支えていたタイプの螺旋階段と比較して、軽量のパイプを使用することができ、かつ支柱に特殊な加工を必要としないという効果を有している。
さらに、組み立てが容易であり、現場の仕様に合わせた階段の高さの微調節が可能であり、ベースプレートの交換が可能であるという効果を有している。
【図面の簡単な説明】
【００１３】
【図１】螺旋階段の外観を表した説明図である。
【図２】螺旋階段を構成する各部材の説明図である。
【図３】螺旋階段を構成する各ステップの連結状態を説明するための展開図である。
【考案を実施するための形態】
【００１４】
図１は、本考案に係る組み立て式螺旋階段（以下「螺旋階段」という）１の外観を表した説明図である。当該螺旋階段１は、支柱２を中心として設けた一周１４段のステップによって、約３ｍの高さを登るように形成されたものである。支柱２には、一例として外形１０１．６ｍｍ、肉厚が４．２ｍｍの鋼管が用いられている。図２は、螺旋階段１を構成する各部材を個々に表した説明図である。以下各図を用いて螺旋階段１の構成を詳細に説明する。
【００１５】
螺旋階段１の最下部には、ベースプレート３が設けられている。ベースプレート３は、円盤の一部を中央から所定の角度で切り取ったような扇型形状を成す約９ｍｍの肉厚を有する鋼板として形成されたものである。当該ベースプレート３は、扇型形状を成しているので円弧状の外周縁４を有するとともに、円盤の中心位置に相当する部位に前記支柱２を装着する装着部５が設けられている。
装着部５は、支柱２の外周径よりもやや大きく円形に形成した台座部分と、当該台座部分から上方に向かって僅かに突出させた鞘管６によって形成されている。鞘管６の直径は支柱２の内周径よりも僅かに小さく形成されており、支柱２の下端が鞘管６を内包するように載置されるので、装着部５に対して位置ずれを起こさないようになっている。
【００１６】
また、ベースプレート３の上面には、矩形板状の２つのブラケット７、８が溶接によって立設されている。ブラケット７は前記装着部５付近に設けられ、ブラケット８は外周縁４の近傍に設けられ、可能な限り両者は距離を隔てて配置されている。ブラケット７の側面には、ボルトＢを挿通させる穴９が上下方向に沿って２カ所設けられている。同様にブラケット８の側面には、ボルトＢを挿通させる穴１０が垂直上下方向に沿って２カ所設けられている。
上記ベースプレート３は、螺旋階段１の最下部に位置する部材として建造物等の床面に配置され、前記支柱２および階段を構成する各ステップの自重、人の登り降りの際に生じる垂直荷重のほぼ全てを支える部材となっている。ベースプレート３が支える荷重は、ベースプレート３全面に亘って分散されるので、設置される床面に対して局部的に応力が集中しないようになっている。
【００１７】
次に、前記ベースプレート３上に構築される階段要素について説明する。ベースプレート３上には、階段の各段を形成する階段要素としてのステップが螺旋状に複数個設けられている。
本実施の形態におけるステップには３種類の形態がある。ひとつはベースプレート３の直上においてブラケット７、８に固定される第1のステップ１１であり、次いで第２段目以降から最上部の直下までを構成する中間ステップ１２が有り、最上部に踊り場ステップ４０が設けられている。
【００１８】
第1のステップ１１は、鋼板若しくはアルミニウム板によって形成した扇形状の踏板部１１ａと当該踏板部１１ａの前縁を折り曲げて下方に垂下させた長方形状の垂下板１１ｂを有している。踏板部１１ａは、支柱２が通過する中心部を除き、円板を１４等分に分割した中心角度の扇形形状を成しており、一例として支柱２中央から計測した外周縁までの距離（螺旋階段の半径に相当）が約７５０ｍｍとなるように形成されている。
また、踏板部１１ａの外周縁付近には、当該外周縁に沿って２個の穴１１ｃが設けられている。当該穴１１ｃは、金属棒を逆Ｕ字形状に折り曲げて形成した手摺り１３を固定するための取付穴である。手摺り１３の下端には、雄ネジが形成されており、ボルト１４ａを嵌め込んだ雄ネジを踏板部１１ａの穴１１ｃに差し込み、裏面から突出した雄ネジにボルト１４ｂを嵌め込むことで、踏板部１１ａに手摺り１３を固定するようになっている。
【００１９】
また、第1のステップ１１には、ブラケット１５およびブラケット１６が取り付けられている。ブラケット１５はベースプレート３に設けたブラケット７と結合する結合部を有しており、ブラケット１６は、ベースプレート３に設けたブラケット８と結合する結合部を有した部材である。また、ブラケット１５およびブラケット１６は、第1のステップ１１の次段に設けられる中間ステップ１２のブラケットと結合するための結合部もそれぞれ有したものである。
【００２０】
ブラケット１５は、第1のステップ１１の支軸２側に設けた板状体であり、踏板部１１ａと垂下板１１ｂの裏面部分に取り付けられる下方板部と、踏板部１１ａの後端側から上方に突出させた上方板部を有した板状体である。そして、下方板部を踏板部１１ａと垂下板１１ｂの裏面に溶接することによって、第1のステップ１１に対して強固に固定している。ベースプレート３に対して第1のステップ１１を適切に配置すると、ベースプレート３のブラケット７表面とブラケット１５の下方板部表面が接し、ブラケット７に設けた２個の穴９と下方板部に設けた２個の長穴１７が一致するようになっている。そして、互いの穴をボルトとナット（図示せず）によって連結することで、ブラケット７とブラケット１５を強固に結合するようになっている。
【００２１】
ブラケット１６は、第1のステップ１１の外周縁側に設けた板状体であり、踏板部１１ａと垂下板１１ｂの裏面部分に取り付けられる下方板部と、踏板部１１ａの後端側から上方に突出させた上方板部を有した板状体である。そして、下方板部を踏板部１１ａと垂下板１１ｂの裏面に溶接することによって、第1のステップ１１に対して強固に固定している。ベースプレート３に対して第1のステップ１１を適切に配置すると、ベースプレート３のブラケット８表面とブラケット１６の下方板部表面が接し、ブラケット８に設けた２個の穴１０と下方板部に設けた２個の長穴１８が一致するようになっている。そして、互いの穴をボルトＢとナットNによって連結することで、ブラケット８とブラケット１６を強固に結合するようになっている。
【００２２】
ブラケット１５の上方板部は、支柱２を中心とした円弧に沿うように下方板部に対してやや屈曲して形成された板状部であり、その側面に３個の穴１９が設けられたものである。また、ブラケット１６の上方板部も同様に下方板部に対してやや屈曲して形成された板状部であり、その側面に３個の穴２０が設けられたものである。
上記ブラケット１５に設けた穴１９およびブラケット１６に設けた穴２０は、ともに第1のステップ１１以降に設ける中間ステップ１２を取り付ける際の締結部として使用されるものである。
【００２３】
次に、前記ステップ１１以降に設ける中間ステップ１２について説明する。中間ステップ１２は、前記第1のステップ１１とほぼ同一の構造を有しており、鋼板若しくはアルミニウム板によって形成した扇形状の踏板部１２ａと当該踏板部１２ａの前縁を折り曲げて下方に垂下させた長方形状の垂下板１２ｂを有したものである。踏板部１２ａは、支柱２が通過する中心部を除き、円板を１４等分に分割した中心角度の扇形形状を成している。踏板部１２ａの外周縁部には、当該外周縁に沿って２個の穴２１が設けられている。当該穴２１は、前述した金属棒を逆Ｕ字形状に折り曲げて形成した手摺り１３を固定するための取付穴である。また、当該穴２１を用いた手摺り１３の固定方法も前述の通りであり、踏板部１２ａの裏面に突出させた手摺り１３の端部をボルト１４ｂによって固定することで、踏板部１２ａに手摺り１３を固定するようになっている。
【００２４】
また、中間ステップ１２には、支柱２側に設けられるブラケット２２と、外周側に設けられるブラケット２３の２つが取り付けられている。ブラケット２２とブラケット２３は、隣接するステップ同士を結合するための取付金具であり、ともに取り付け用の長穴２４を複数個設けた下方板部と穴２５を複数個設けた上方板部とをクランク状に連結するとともに、螺旋階段の円弧に沿うように屈曲させた板状体である。
ブラケット２２およびブラケット２３の各下方板部には、上下方向に一列に配置された長穴２４が設けられており、他のブラケットとの結合の際にボルトＢを挿通させるようになっている。同様に、ブラケット２２およびブラケット２３の各上方板部には、上下方向に一列に配置された穴２５が設けられており、これも他のブラケットとの結合の際にボルトＢを挿通させるようになっている。
【００２５】
前述のように、ブラケット２２は下方板部２２ａと上方板部２２ｂとをクランク状に連結した形状を成している。そして、下方板部２２ａは、板を折り曲げた形状の中間ステップ１２の踏板部１２ａと垂下板１２ｂの裏面に溶接によって強固に結合され、上方板部２２ｂを踏板部１２ａの後方部において上方に突出させている。
そして、下方板部２２ａは一段下に配置される第1のステップ１１若しくは他の中間ステップのブラケットと結合し、上方板部２２ｂは一段上に配置される他の中間ステップのブラケット（下方板部）と結合することで、上下に隣り合う他のステップ（若しくは第1のステップ１１）同士をボルトＢとナットＮによって強固に結合できるようになっている。
【００２６】
もう一方のブラケット２３も、下方板部２３ａと上方板部２３ｂとをクランク状に連結した形状を成している。そして、下方板部２３ａは、板を折り曲げた形状の中間ステップ１２の踏板部１２ａと垂下板１２ｂの裏面に溶接によって強固に結合され、上方板部２３ｂを踏板部１２ａの後方部において上方に突出させている。
下方板部２３ａは、一段下に配置される第1のステップ１１若しくは他の中間ステップのブラケットと結合し、上方板部２３ｂは一段上に配置される他の中間ステップのブラケット（下方板部）と結合することで、上下に隣り合う他の中間ステップ（若しくは第1のステップ１１）同士を強固に結合できるようになっている。
【００２７】
中間ステップ１２には、前述した各要素の他にフック部材２６が取り付けられるようになっている。フック部材２６は、Ｃ字形状を成す鉤状部２７と当該鉤状部２７の付け根部分に形成した取付部２８によって構成されている。
鉤状部２７は、支柱２に対して側方から引っかけるように係合させる部位であり、支柱２の外周よりもやや大きく形成した内径部を有し、支軸２に対して直交する方向に係合するようになっている。
また、取付部２８は前記ブラケットと接合可能な接合面を有するとともに、ブラケット２２に設けられた長穴２４と対向する位置に設けた取付用の穴２９を利用してボルトＢとナットＮによってブラケット２２と結合するようになっている。
【００２８】
前記フック部材２６は、ブラケット２２に固定されることで中間ステップ１２の内側端部から支柱２側に突出し、支柱２と係合するようになっている。フック部材２６を介して支柱２と結合した中間ステップ１２は、外周縁方向に引っ張っても支柱２から外れることはなく、支柱２を中心とした円周上に正確に配置されることになる。
【００２９】
図３は、実際には円弧状に配置されているベースプレート３、第1のステップ１１および中間ステップ１２を展開して平面的に表した説明図である。図３（ａ）は、支軸２に近い側に設けられているブラケット７、ブラケット１５、ブラケット２２・・・が連結されている様子を表している。図３（ｂ）は、支軸２から遠い側に設けられているブラケット８、ブラケット１６、ブラケット２３・・・が連結されている様子を表している。
図３（ａ）、（ｂ）に示すように、中間ステップ１２に作用する垂直荷重は、各中間ステップ同士を連結するブラケットおよび第1のステップ１１のブラケットに伝達され、最終的には最下部のベースプレート３に伝達されるようになっている。この際、支柱２に各部材の重量や垂直荷重が直接的作用することはなく、螺旋階段１の荷重はベースプレート３に伝達され、ベースプレート３の面積全体に分散されて載置面に伝達されるようになっている。
【００３０】
螺旋階段１の最上部には、踊り場ステップ４０が設けられる。中間ステップ１２と踊り場ステップ４０との結合は、他の中間ステップ同士の結合方法と同一である。すなわち、踊り場ステップ４０に取り付けたブラケット４１および４２と、前段の中間ステップに取り付けられているブラケットをボルトＢとナットＮによって締結することにより行われる。また、踊り場ステップ４０にも、フック部材２６が取り付けられており、支柱２に対して適切な位置に取り付けられるようになっている。
踊り場ステップ４０は、面積の広い四角形状の踏板部４３を有し、当該踏板部４３の四方縁部から垂下する長方形状の側壁面４４を有している。当該側壁面４４は、螺旋階段１を設置する建造物の壁などに当接させて固定する部位でもあり、金具類若しくは穿設した穴（図示せず）を利用してボルト等で２階フロア２Ｆの上がり口部分に固定するようになっている。
【００３１】
また、各中間ステップ１２には、前述したように逆Ｕ字形状の棒状体として形成した手摺り１３が設けられている。そして、各手摺り１３には、次段の中間ステップに取り付けられる手摺りを連結する連結体４５が設けられている。連結体４５は、螺旋階段の円周に沿って湾曲した形状の棒状の部材であり、一つの手摺り１３に取り付けた状態で隣り合う手摺り１３の一方の棒状体を挿通させる穴４６を有している。この穴４６を利用して、順次手摺り１３をつなぎ合わせ、踊り場ステップ４０まで連続する手摺りを形成するようになっている。なお、図示していないが踊り場ステップ４０の手摺りについても、同様の手法により手摺りを設けたり、他の方法によって手摺りを形成してもよい。
また、各ステップの踏板部には、すべり止めとして各種の凹凸模様を形成したり、別途形成した木板や樹脂板等による踏み板を載置固定してもよい。
【００３２】
以上説明した螺旋階段は、比較的小さな階段要素ユニットとして形成されたブラケット付きのステップをボルトとナットでつなぎ合わせるという簡単な作業で組み立てることができるものである。したがって、設置現場での溶接作業や特殊な基礎工事、特殊工具の使用などを要することなく、螺旋階段を組み立て設置することができるものである。
また、ブラケット同士を結合する際に用いるボルト挿通用の穴は、ブラケットの一方が上下方向に長い長穴となっている。したがって、当該長穴の範囲でステップ間の高さを調節することができるので、螺旋階段の最上部の高さをある程度上下方向に可変させることができ、設置現場に合わせた取り付けができるようになっている。なお、上記実施例では、連結ブラケットの下方板部に長穴を設け上方板部に丸穴を形成しているが、連結ブラケットの下方板部に丸穴を設け上方板部に長穴を形成しても差し支えがないものである。
さらに、螺旋階段を支える部分が支柱部分のみではなく、主としてベースプレート全体で螺旋階段の荷重を支えるようになっている。したがって、支柱を強固に支える基礎工事などを必要としないものとなっている。また。接地面の強度が弱く、上記実施例において示したベースプレートの大きさでは足りないという場合には、ベースプレートを面積の大きいものに交換するという軽微な改良によって、設置現場の仕様に合わせた螺旋階段を形成することができるようになっている。
【産業上の利用可能性】
【００３３】
本考案に係る螺旋階段は、搬送および組み立てが容易な螺旋階段に利用可能である。
【符号の説明】
【００３４】
１  螺旋階段
２  支柱
３  ベースプレート
４  外周縁
５  装着部
６  鞘管
７、８  ブラケット
９  穴
１０  穴
１１  第1のステップ
１１ａ  踏板部
１１ｂ  垂下板
１１ｃ  穴
１２  中間ステップ
１２ａ  踏板部
１２ｂ  垂下板
１３  手摺り
１４ａ  ボルト
１４ｂ  ボルト
１５  ブラケット
１６  ブラケット
１７  長穴
１８  長穴
１９  穴
２０  穴
２１  穴
２２  ブラケット
２２ａ  下方板部
２２ｂ  上方板部
２３  ブラケット
２４  長穴
２５  穴
２６  フック部材
２７  鉤状部
２８  取付部
２９  穴
４０  踊り場ステップ
４１  ブラケット
４２  ブラケット
４３  踏板部
４４  側壁面
４５  連結体
４６  穴
Ｂ  ボルト
Ｎ  ナット
２Ｆ  ２階フロア
【図１】
0003154247.tif 000003
【図２】
0003154247.tif 000004
【図３】
0003154247.tif 000005
【手続補正書】
【提出日】平成21年7月30日(2009.7.30)
【手続補正１】
【補正対象書類名】実用新案登録請求の範囲
【補正対象項目名】全文
【補正方法】変更
【補正の内容】
【実用新案登録請求の範囲】
【請求項１】
中空パイプ状の支柱と、
当該支柱を装着する装着部および螺旋階段の第1段目のステップを固定するためのブラケットを設けたベースプレートと、
前記第1段目のステップの次段以降において前記支柱を中心として順次螺旋状に配置される複数の中間ステップを有し、
前記第1段目のステップは、前記ベースプレートに取り付けられたブラケットおよび第２段目を構成する中間ステップに取り付けられた連結ブラケットの双方と結合する連結ブラケットを有し、
前記中間ステップが有する連結ブラケットは、上方および下方の双方において隣接する他の中間ステップが有する連結ブラケットと結合するようになっていることを特徴とする組み立て式螺旋階段。
【請求項２】
前記ベースプレートのブラケットと第1段目のステップおよび中間ステップに設けた連結ブラケットは、ほぼ前記支柱を中心とした同心円上の配置となるように設けられていることを特徴とする請求項１記載の組み立て式螺旋階段。
【請求項３】
前記ベースプレートのブラケットおよび各ステップの連結ブラケットは、前記支柱近傍および外周近傍となる間隔を隔てた２カ所にそれぞれ設けられていることを特徴とする請求項１または請求項２記載の組み立て式螺旋階段。
【請求項４】
前記連結ブラケットはクランク形状を成しており、中間ステップ上面の踏板部の裏面に配置された下方板部と踏板部の後方部から上方に突出する上方板部を有していることを特徴とする請求項１乃至請求項３の何れか一項記載の組み立て式螺旋階段。
【請求項５】
前記下方板部と上方板部には、それぞれ締結用の穴が上下方向に沿って複数個設けられており、下方板部あるいは上方板部の何れか一方の締結用の穴が長穴に形成されていることを特徴とする請求項４記載の組み立て式螺旋階段。
【請求項６】
前記中間ステップには、前記支柱の外周面に対して引っかけるように係合させることができるフック部材が設けられていることを特徴とする請求項１乃至請求項５の何れか一項記載の組み立て式螺旋階段。
【請求項７】
最上部には、略四角形状の踏板部を設けた踊り場ステップが設けられていることを特徴とする請求項１乃至請求項６の何れか一項記載の組み立て式螺旋階段。
【手続補正２】
【補正対象書類名】明細書
【補正対象項目名】０００５
【補正方法】変更
【補正の内容】
【０００５】
上記課題を解決するために、請求項１記載の考案は以下の構成を有する。すなわち、
中空パイプ状の支柱と、
当該支柱を装着する装着部および螺旋階段の第1段目のステップを固定するためのブラケットを設けたベースプレートと、
前記第1段目のステップの次段以降において前記支柱を中心として順次螺旋状に配置される複数の中間ステップを有し、
前記第1段目のステップは、前記ベースプレートに取り付けられたブラケットおよび第２段目を構成する中間ステップに取り付けられた連結ブラケットの双方と結合する連結ブラケットを有し、
前記中間ステップが有する連結ブラケットは、上方および下方の双方において隣接する他の中間ステップが有する連結ブラケットと結合するようになっていることを特徴とする組み立て式螺旋階段。
【手続補正３】
【補正対象書類名】明細書
【補正対象項目名】０００８
【補正方法】変更
【補正の内容】
【０００８】
また、請求項４記載の考案は以下の構成を有する。すなわち、
前記連結ブラケットはクランク形状を成しており、中間ステップ上面の踏板部の裏面に配置され下方板部と踏板部の後方部から上方に突出する上方板部を有していることを特徴とする請求項１乃至請求項３の何れか一項記載の組み立て式螺旋階段。
【手続補正４】
【補正対象書類名】明細書
【補正対象項目名】０００９
【補正方法】変更
【補正の内容】
【０００９】
また、請求項５記載の考案は以下の構成を有する。すなわち、
前記下方板部と上方板部には、それぞれ締結用の穴が上下方向に沿って複数個設けられており、下方板部あるいは上方板部の何れか一方の締結用の穴が長穴に形成されていることを特徴とする請求項４記載の組み立て式螺旋階段。